(57)【要約】      （修正有）【課題】資産のコンポーネントの構成レコードを記録するためのシステムおよび方法を提供する。【解決手段】システムは、複数の属性および複数の属性に結合された複数のリンクホットスポット２８を有する画面を備えるユーザインターフェースデバイス１６を含む。データベース３４はユーザインターフェースデバイス１６に結合されており、データベース３４は複数の属性の各々に関連付けられた態様を含む。本システムは、ユーザインターフェースデバイス１６およびデータベース３４に結合されたプロセッサ７６を含み、プロセッサ７６は態様を複数のリンクホットスポット２８に結合するように構成されている。【選択図】図１
2013235585.tif 000002
【特許請求の範囲】
【請求項１】
資産（１４）のコンポーネントの構成レコード（１８）を記録するコンピュータ実装方法であって、
前記資産（１４）の第１のコンポーネント（１２）に関連付けられた第１の属性（４０）を表示すること（７１０）と、
ユーザインターフェースデバイス（１６）を介して、前記第１のコンポーネント（１２）に関連付けられた第１の態様（４２）を入力すること（７１２）と、
前記第１の属性（４０）に結合されたリンクホットスポット（２８）を選択すること（７１６）と、
前記リンクホットスポット（２８）に結合され、かつ、前記資産（１４）の第２のコンポーネント（１２２）に関連付けられた第２の属性（４６）を表示すること（７１８）と、
前記ユーザインターフェースデバイス（１６）を介して、前記第２の属性（４６）に関連付けられた第２の態様（４３）を入力すること（７２０）と、
前記第１および第２の属性並びに前記第１および第２の態様を格納すること（７２４）と
を含む、方法。
【請求項２】
前記第１の態様（４２）を入力すること（７１２）が、前記第１の属性（４０）と前記第１のコンポーネント（１２）に関連付けられたコンテキストデータ（４４）とを結合すること（７１４）を含み、前記第２の態様（４３）を入力すること（７２０）が、前記第２の属性（４６）と前記第２のコンポーネント（１２２）に関連付けられたコンテキストデータ（４４）とを結合すること（７２２）を含む、請求項１に記載のコンピュータ実装方法。
【請求項３】
前記第１の属性（４０）と前記第２の属性（４６）とを比較すること（７２８）をさらに含む、請求項１または２に記載のコンピュータ実装方法。
【請求項４】
前記第１の属性（４０）と前記第２の属性（４６）との前記比較に基づいて、差異レコード（５５）を生成すること（７２９）をさらに含む、請求項３に記載のコンピュータ実装方法。
【請求項５】
前記第２の属性に結合された少なくとも１つの追加のリンクホットスポットをさらに選択する、請求項１ないし４のいずれか一項に記載のコンピュータ実装方法。
【請求項６】
前記リンクホットスポットおよび前記少なくとも１つの追加のリンクホットスポットの前記選択を繰り返すことをさらに含む、請求項５に記載のコンピュータ実装方法。
【請求項７】
前記資産の第１のインスタンス（５０）を記録するために、前記格納された第１および第２の属性と、格納された第１および第２の態様とを結合することをさらに含む、請求項１ないし６のいずれか一項に記載のコンピュータ実装方法。
【請求項８】
前記第１のインスタンスを、前記資産の第２のインスタンス（５２）を生成するための開始点として利用することをさらに含む、請求項７に記載のコンピュータ実装方法。
【請求項９】
前記第１のインスタンス（５０）と前記第２のインスタンス（５２）とを比較することをさらに含む、請求項８に記載のコンピュータ実装方法。
【請求項１０】
前記ユーザインターフェースデバイスを介して、前記第１のインスタンス（５０）と前記第２のインスタンス（５２）との前記比較に基づいて差異態様を生成することをさらに含む、請求項７または９に記載のコンピュータ実装方法。
【請求項１１】
資産（１４）のコンポーネントの構成レコード（１８）を記録するためのコンピュータシステムであって、
複数の属性（３８１．．．ｎ）と、前記複数の属性に結合された複数のリンクホットスポット（２８１．．．ｎ）を有する画面を備えるユーザインターフェースデバイス（１６）と、
前記ユーザインターフェースデバイス（１６）に結合されたデータベース（３８）であって、前記複数の属性（３８１．．．ｎ）の各々に関連付けられた態様を備えるデータベース（３８）と、
前記ユーザインターフェースデバイス（１６）および前記データベース（３８）に結合されたプロセッサ（７６）であって、前記態様を前記複数のリンクホットスポット（２８１．．．ｎ）に結合するように構成された、プロセッサ（７６）と
を備える、コンピュータシステム。
【請求項１２】
前記ユーザインターフェースが、
前記資産（１４）の第１のコンポーネント（１２）に関連付けられた、前記複数の属性の第１の属性（４０）を表示し、
前記第１のコンポーネント（１２）に関連付けられた第１の態様（４２）を入力し、
前記第１の属性（４０）に結合されたリンクホットスポットを選択し、
前記リンクホットスポットに結合され、かつ、前記資産（１４）の第２のコンポーネント（１２２）に関連付けられた、前記複数の属性の第２の属性（４６）を表示し、
前記第２の属性（４６）に関連付けられた第２の態様（４３）を入力し、
前記第１および第２の属性、ならびに前記第１および第２の態様を格納する
ように構成されている、請求項１１に記載のコンピュータシステム。
【請求項１３】
前記第１および第２の属性が、２次元画像、非２次元画像、写真、後方散乱データ、非破壊評価データ、超音波属性、およびビデオ属性のうちの少なくとも１つを含む、請求項１２に記載のコンピュータシステム。
【請求項１４】
前記第１および第２の態様が、前記第１および第２の属性のうちの少なくとも１つに関連するコンテキストデータを含む、請求項１２または１３に記載のコンピュータシステム。
【請求項１５】
前記コンテキストデータが、シリアル番号、コンポーネント位置、およびコンポーネント資材のうちの少なくとも１つを含む、請求項１４に記載のコンピュータシステム。
【発明の詳細な説明】
【技術分野】
【０００１】
本開示は記録システムに関し、より詳細には、資産についての構成レコードを記録するための方法およびシステムに関する。
【背景技術】
【０００２】
資産の保守および／または改良は継続的に必要となるが、これらの資産はライフスパンが比較的長く、多額の投下資本を含むため、保守および／または改良は資産の交換よりも望ましい。航空機、海上船舶、自動車、および他の大きな投資アセンブリ等の資産は、日常業務において定期的に保守および／または改良を受けて乗物を維持しており、時々新しいコンポーネントで乗物をアップグレードして、乗物の性能を改善する。
【０００３】
資産のコンポーネント構成を編成するために、組織によっては資産の属性を取得して、ファイルキャビネット内のフォルダまたは３リングバインダ等に何らかの編成をして事後的にこれらの属性の分類を試みる。より具体的には、属性のうちの一部を使用し、構成の文書化が行われる。たとえば、一部の既知のレガシー資産の配線および／または油圧などの属性を使用し、当該資産のライフスパンにわたる改良キットの設計を可能にしたりする。しかしながら、これらの属性の中には属性を認識している者にしか入手可能でないものがあり、かつ、非デジタル状態のままにされており、組織の他ユーザと属性を共有することが制限および／または不能になっていたりする場合がある。また、認識されている属性の中にも、コンポーネントＩＤおよび／または資産内における位置等、関連情報を伝えていないものがあるため、属性の有用性が制限されている。
【０００４】
組織によっては、コンポーネントの識別と位置の容易化のため、提案された改良コンセプトを開発する際、改良および様々な乗物の構成の差異を可能にする設計空間を決定する際、属性を調査する。しかしながら、現行の方法の中には、非常に時間がかかり、解析エラーで作成され、プログラムへの広範なアクセスを提供できないものがある。既知の構成を有する資産を管理する組織の中には、画像、写真、およびＸ線などの、取得された全般および特定の資産態様を管理するための構造化された方法を有していないものがある。さらに、組織の既存方法には、収集された属性を効率的に電子的に編成する構造化された方法が含まれていない場合がある。さらに、既存のプログラムの中には、定義済みの構成に基づく厳格な写真測量を含むものがある。しかしながら、この構成から逸脱したものは組織の範囲外で対処しなくてはならない場合がある。編成されたリンク可能なアーキテクチャ構造とは対照的な管理制御に依存すると、属性への態様情報の関連付けの際エラーを呈する場合があり、この結果コンポーネントの特定構成に対する不確実性をもたらす。
【発明の概要】
【発明が解決しようとする課題】
【０００５】
組織全体にわたって社員が使用できる構成として、資産を体系的に収集および編成できるプログラムはコンポーネントデータの有効活用を強化し、プログラムを介する共同作業の改善につながる。さらに、同様の資産と異なる資産のインスタンスの態様を比較する機能、または異なる時点における同一の態様とを比較する機能は、体系的な方法を向上させる。
【課題を解決するための手段】
【０００６】
一態様では、資産のコンポーネントについての構成レコードを記録するコンピュータ実装方法が提供される。前記コンピュータ実装方法は、資産の第１のコンポーネントに関連付けられた第１の属性を表示することと、ユーザインターフェースデバイスを介して、前記第１のコンポーネントに関連付けられた第１の態様を入力することとを含む。前記第１の属性に結合されたリンクホットスポットが選択される。前記コンピュータ実装方法は、前記リンクホットスポットに結合され、かつ、資産の第２のコンポーネントに関連付けられた第２の属性を表示することを含む。前記コンピュータ実装方法は、ユーザインターフェースデバイスを介して、前記第２の属性に関連付けられた第２の態様を入力する。前記コンピュータ実装方法は、第１および第２の属性、ならびに第１および第２の態様を格納することを含む。
【０００７】
他の態様では、資産のコンポーネントについての構成レコードを記録するためのコンピュータシステムが提供される。前記コンピュータシステムは、複数の属性、および前記複数の属性に結合された複数のリンクホットスポットを備えた画面を有するユーザインターフェースデバイスを含む。データベースが前記ユーザインターフェースデバイスに結合されており、データベースには複数の属性の各々に関連付けられた態様が含まれる。前記コンピュータシステムは、ユーザインターフェースデバイスおよびデータベースに結合されたプロセッサであって、前記態様を前記複数のリンクホットスポットに結合するように構成されたプロセッサを含む。
【０００８】
さらなる態様では、資産のコンポーネントを評価するコンピュータ実装方法が提供される。前記コンピュータ実装方法は、資産の第１のコンポーネントに関連付けられた第１の属性を表示することと、ユーザインターフェースデバイスを介して、第１のコンポーネントに関連付けられた第１の態様を入力することとを含む。前記第１の属性に結合されたリンクホットスポットが選択される。前記コンピュータ実装方法は、リンクホットスポットに結合され、かつ、資産の第２のコンポーネントに関連付けられた第２の属性を表示することを含む。前記コンピュータ実装方法は、ユーザインターフェースデバイスを介して、前記第２の属性に関連付けられた第２の態様を入力する。前記コンピュータ実装方法は、第１および第２の属性並びに第１および第２の態様を格納することを含む。前記コンピュータ実装方法は、第１の属性と第２の属性との比較に基づいて資産の評価を実行することを含む。以下の段落は、本開示に係る発明の代替態様をさらに記載したものである。
【０００９】
Ａ．  資産のコンポーネントを評価するコンピュータ実装方法であって、
資産の第１のコンポーネントに関連付けられた第１の属性を表示することと、
ユーザインターフェースデバイスを介して、第１のコンポーネントに関連付けられた第１の態様を入力することと、
第１の属性に結合されたリンクホットスポットを選択することと、
リンクホットスポットに結合され、かつ、資産の第２のコンポーネントに関連付けられた第２の属性を表示することと、
ユーザインターフェースデバイスを介して、第２の属性に関連付けられた第２の態様を入力することと、
第１の属性と第２の属性とを比較することと、
第１の属性と第２の属性との比較に基づいて資産の評価を実行することと
を含む、コンピュータ実装方法がもたらされる。
【００１０】
Ｂ．  第１および第２の属性、ならびに第１および第２の態様を格納することをさらに含む、Ａに記載のコンピュータ実装方法がもたらされる。
【００１１】
Ｃ．  資産に保守を実行することをさらに含む、ＡまたはＢに記載のコンピュータ実装方法がもたらされる。
【００１２】
Ｄ．  資産に実行された保守を記録することをさらに含む、Ｃに記載のコンピュータ実装方法がもたらされる。
【００１３】
Ｅ．  リンクホットスポットの選択を繰り返すことをさらに含む、Ａ、Ｂ、Ｃ、Ｄ、またはＥのいずれかに記載のコンピュータ実装方法がもたらされる。
【図面の簡単な説明】
【００１４】
【図１】資産のコンポーネントを記録するために使用される例示的構成システムを示す図である。
【図２】図１に示された構成システムの例示的ユーザインターフェースデバイスを示す図である。
【図３】図１に示されたシステムの例示的アナライザを示す図である。
【図４】構成を記録し、かつ、図１に係る資産コンポーネントを比較するための例示的処理の流れ図である。
【図５】図４に示された構成の第１のインスタンスを生成するための例示的処理の流れ図である。
【図６】図４に示された構成の第２のインスタンスを記録するための例示的処理の流れ図である。
【図７Ａ】例示的構成システムを記録するように実施される例示的方法のフローチャートである。
【図７Ｂ】例示的構成システムを記録するように実施される例示的方法のフローチャートである。
【図８】例示的資産の保守を容易にするために実施される例示的方法のフローチャートである。
【図９】乗物に関する例示的な生産および点検方法論の流れ図である。
【図１０】例示的な乗物の資産のブロック図である。
【図１１】例示的な乗物の資産の側面図である。
【発明を実施するための形態】
【００１５】
本明細書に記載の実施形態は構成システムおよび構成システムの操作方法に関する。より具体的には、本実施形態は資産のコンポーネントの属性を生成、取得、編成、記録、および比較するためのシステムに関する。さらに、本実施形態は、軍事、民間、産業、鉄道、輸送、航空、および消費者等、様々な環境で利用されるが、これらに限定されない。本明細書の実施形態によって、資産の保守時間および故障時間を減少させて、保守コストおよび資産の故障時間によって生じる利益損失を減らすことが容易になる。さらに、本明細書の実施形態によって、資産および／または資産コンポーネントの設計が容易になる。ユーザインターフェースデバイスおよびホストシステムによって、比較処理を介する部品の識別が容易になり、資産の構成レコードの構築が容易になる。
【００１６】
図１は、資産１４のコンポーネント１２１．．．ｎの構成化を容易にするよう構成された例示的構成システム１０を示している。図２は、システム１０のユーザインターフェースデバイス１６の図を示している。システム１０は、資産１４の構成レコード１８を記録するように構成されている。より具体的には、システム１０は、資産１４の少なくとも１つのコンポーネント１２に関連付けられた情報の取得、作成、編集、記録、比較、表示、および格納を少なくとも行うように構成されている。本例示的な実施形態では、資産１４は、航空機、宇宙船、打上げ用ロケット、海上または海中船舶、地上乗物、機械デバイスおよび／または組立後の乗物を含むが、これらに限定されない。あるいは、資産１４は、ビルなどの構造物および橋などのインフラを含むことができる。資産１４は、サブコンポーネントを含む任意の品目を含むことができる。システム１０は、ユーザインターフェースデバイス１６に結合されたホストシステム２０およびレガシーシステム２２を含む。あるいは、ユーザインターフェースデバイス１６は、ホストシステム２０およびレガシーシステム２２を含むこと、またはホストシステム２０およびレガシーシステム２２の機能を含むことができる。
【００１７】
ユーザインターフェースデバイス１６は、中央処理装置２４、調査機能２６、リンクホットスポット２８、画面３０、キーボードなどの入力デバイス３２、およびデータベース３４を含む。本例示的な実施形態では中央処理装置２４は、ラップトップおよびスマートフォンなどの装置を含むが、これらに限定されない。調査機能２６は、デジタルカメラなどのデータ取得デバイス３６を含むが、これに限定されない。さらに、調査機能２６は、人的操作をほとんどまたは全く含まない他の取得デバイス（図示せず）を含みうる。より具体的には、調査機能２６は、位置システム（図示せず）を介して様々な位置から乗物の画像を取得するよう構成されたコンピュータ制御カメラ（図示せず）を含むことができる。位置システムは、トラック、ドリー、メカニカルアーム、および／または他の装置を使用し、位置データ（たとえば、３次元座標等）がわかっている位置にカメラを動かすことができる。調査機能２６は、効率的に乗物を調べることができる技法のうち、乗物を同時調査するための様々なカメラを使用できる。
【００１８】
本例示的な実施形態では、ユーザインターフェースデバイス１６は、資産コンポーネント１２の第１の属性４０などの属性３８１．．．ｎを取得するよう構成されており、画面３０は第１の属性４０を表示するように構成されている。他の実施形態では、データベース３４は、データベース内に格納された第１の属性４０を含むことができる。第１の属性４０は、たとえばコンポーネント１２の２次元画像などの画像を含む。あるいは、第１の属性４０は、非２次元画像、後方散乱データ、非破壊評価データ、超音波画像、ビデオ画像、化学組成画像、および熱画像などの他の構成を含むことができるが、これらに限定されない。第１の属性４０は、システム１０が本明細書に記載通り機能できるようにする、任意の構成を含むことができる。
【００１９】
本例示的な実施形態では、ユーザインターフェースデバイス１６は、第１の属性４０に結合された第１の態様４２を含む。第１の態様４２は、資産１４の第１のコンポーネント１２に関連付けられたコンテキストデータ４４を含む。本例示的な実施形態では、コンテキストデータ４４は、シリアル番号、部品表、コンポーネント名、コンポーネント説明、コンポーネント位置、コンポーネント資材、設計、および／または修理、および／または保守、および／または交換指示などの、コンポーネント１２とともに説明された情報を含むが、これらに限定されない。あるいは、コンテキストデータ４４は、コンポーネント１２に関連付けられる任意の情報に関連することができる。ユーザインターフェースデバイス１６は、キーボードを介して、第１の属性４０に関連付けられた第１の態様４２を入力するように構成されている。あるいは、データベース３４は、第１の属性４０と関連付けるために第１の態様４２を格納するように構成され得る。
【００２０】
態様４２は、オペレータによる手動入力（シリアル番号を入力する等）、自動入力（バーコードまたは無線周波数識別タグを読み取る等）、テキストの光学式文字認識、および測定デバイス（遠位マイクロメータによって測定された距離）などの複数の処理（図示せず）によって取得され得るが、これらに限定されない。態様４２は、システム１０が本明細書に記載された通り機能できるようにする任意の処理によって、取得され、かつ、属性３８に結合され得る。
【００２１】
リンクホットスポット２８は、第１の属性４０に結合されている。より具体的には、リンクホットスポット２８は、第１の属性４０を、画面３０を介して表示される第２の属性４６に結合するように構成されている。第２の属性４６は、コンポーネント１２の２次元画像を含む。あるいは、第２の属性４６は、非２次元画像、後方散乱データ、非破壊評価データ、超音波属性、ビデオ属性、化学組成属性、および熱属性などの他の構成を含むことができるが、これらに限定されない。第２の属性４６は、システム１０が本明細書に記載される通り機能できるようにするための任意の構成を含むことができる。本例示的な実施形態では、ユーザインターフェースデバイス１６は、第２の属性４６に結合された第２の態様４３を含む。第２の態様４３は、資産１４の第２のコンポーネント１２２に関連付けられたコンテキストデータ４４を含む。
【００２２】
本例示的な実施形態では、第１の属性４０は、第１の属性４０を複数の第２のまたは追加の属性４６１．．．ｎに結合するように構成された複数のリンクホットスポット２８１．．．ｎを含む。さらに、複数の属性４６の各属性４６は、複数の追加のリンクホットスポット２８１．．．ｎを含む。属性４０および４６をリンクホットスポット２８で結合することによって、属性４０と４６、リンクホットスポット２８、および関連する資産コンポーネント１２の水平方向および／または垂直方向の構造の分岐４８の生成が容易になる。本例示的な実施形態では、ユーザインターフェースデバイス１６は、キーボード３２に入力されたコマンドを介して属性４０と４６、態様４２と４３、および／またはリンクホットスポット２８を取得することによって、構成レコード１８を記録するように構成されている。
【００２３】
本例示的な実施形態では、ユーザインターフェースデバイス１６は、構成レコード１８の第１のインスタンス５０を生成および記録するように構成されている。第１のインスタンス５０は、属性４０、リンクホットスポット２８、および態様４２で編成された定義済みの情報分岐４８を含む。さらに、ユーザインターフェースデバイス１６は、構成レコード１８の第２のインスタンス５２を生成および記録するように構成されている。第２のインスタンス５２は、属性４６、リンクホットスポット２８、および態様４３で編成された情報分岐４８を含む。本例示的な実施形態では、第１のインスタンス５０の分岐４８は、第２のインスタンス５２の開始点５４を含み、開始点において第２のインスタンス５２は第１のインスタンス５０の情報分岐４８を使用する、および／または引き継ぐように構成されている。ユーザインターフェースデバイス１６は、コンポーネント１２の解析並びに第１のインスタンス５０と第２のインスタンス５２との間の属性、態様、および／またはリンクホットスポット間の差異の編成を容易にするために、第１のインスタンス５０と第２のインスタンス５２とを比較および対比させるように構成されている。ユーザインターフェースデバイス１６は、第１のインスタンス５０と第２のインスタンス５２との比較に基づいて差異レコード５５を生成するように構成されている。本例示的な実施形態では、データベース３８は、差異レコード５５を格納するように構成されている。既に識別された任意のレベルの資産の構成レコードのインスタンスを他の資産に再利用できる（図示せず）。
【００２４】
説明のための例として、第１の属性４０は資産１４（乗物）を示しており、第１のリンクホットスポット２８は、第１の属性４０と、資産コンポーネント１２（乗物のエンジン）を示している第２の属性４６とを結合している。第２の属性４６の第２のリンクホットスポット５６は、別の乗物コンポーネント１２（乗物エンジンの空気フィルタ）を示す第３の属性５８に結合されている。第３の属性５８の第３のリンクホットスポット６０は、別の乗物コンポーネント１２（すなわち、空気フィルタプリーツ）を示す第４の属性６２に結合されている。さらに、この説明のための実施形態では、乗物コンポーネント１２に関連付けられた態様４２が属性４０、４６、５８、および６２にそれぞれ結合されている。ユーザインターフェースデバイス１６は、関連付けられた属性およびリンクホットスポット２８に基づいて処理を繰り返して、乗物コンポーネント１２についての構成レコード１８を生成および／または記録するように構成されている。
【００２５】
説明のための実施形態では、第１のインスタンス５０は、第１の属性４０（すなわち、乗物）、第２の属性４６（すなわち、エンジン）、および第３の属性５８（すなわち、空気フィルタ）を含む。第１のインスタンス５０の構造に加えて、第２のインスタンス５２は、ユーザインターフェースデバイス１６が、第２のインスタンス５２の後続の属性を解析するために第１のインスタンス５０と第２のインスタンス５２との差異を比較して対比することを容易にする他の属性（異なるタイプおよび／または品質の空気フィルタを使用する乗物等）を含むことができる。あるいは、第１のインスタンス５０および第２のインスタンス５２は、属性の差異を比較して編成するために、資産１４の同一コンポーネント１２の異なる時点における属性を含むことができる。より具体的には、コンポーネント１２の属性を比較し、資産１４の動作寿命の間の状態変化を知ることができる。この説明のための実施形態では、ユーザインターフェースデバイス１６は、「設計時」の状況に関する第１のインスタンス５０と資産１４の「保守時／現在」の状況に関する第２のインスタンス５２を比較するように構成されている。システム１０は、構成レコード１８の構造および／またはアーキテクチャの動的生成および／または記録を容易にし、作成済みおよび／または記録済みの構成１８の構造の全部または一部を後続のユーザの再利用に供する。
【００２６】
構成レコード１８の生成および／または記録を容易にするために、データベース３４は、調査データ６４、調査ライブラリ６６、および調査構成６８に編成された情報を含む。ユーザインターフェースデバイス１６は、調査データ６４、調査ライブラリ６６、および調査構成６８をホストシステム２０に伝送するよう構成されている。調査データ６４は、既存コンポーネント１２および／または完全な資産１４を監視して収集された情報を含み、調査ライブラリ６６は既存の情報を含む。本例示的な実施形態では、調査データ６４は、写真または他の画像、測定値、および資産１４の人的および／または機械ベースの監視を通じて得られた他の情報を含む。調査ライブラリ６６は様々な２次元画像（たとえば、デジタル写真、熱写真、Ｘ線写真等）、あるいは比較処理を介して後続の照会時に未知の情報を識別するために使用され得る他のタイプの画像（たとえば、光計測学等）を含む。調査ライブラリ６６内のデータには、部品番号、部品の説明、測定値、位置情報、またはコンポーネント１２に関する他のデータ等、追加の態様が補足され得る。
【００２７】
調査構成６８は、保守をスケジューリングされうるコンポーネント１２の２次元画像を含む。あるいは、調査構成６８は、資産１４を設計するための２次元画像を含むことができる。本例示的な実施形態では、調査ライブラリ６６および調査構成６８は、位置情報、人が作成したレポート、リバースエンジニアリングデータ、測定値、部品識別子（アイテム番号等）、あるいは人または機械を介して資産１４（またはその一部）から抽出したその他のデータ等、他のデータを含む。ホストシステム２０は調査構成６８を調査ライブラリ６６などの他のデータと比較し、車両保守データを入力し、かつ、保守がスケジューリングされたコンポーネント１２の構成レコード１８を決定するように構成されている。
【００２８】
レガシーシステム２２は、追加情報をユーザインターフェースデバイス１６および／またはホストシステム２０に伝送するよう構成されている。レガシーシステム２２は、広範囲の部品情報をホストするサーバ群で構成された、統合されたおよび／または異なるシステム（図示せず）を含む。本例示的な実施形態では、レガシーシステム２２は、ＣＡＤデータ７０、画像７２、および部品表（ＢＯＭ）７４などのデータを含むが、これらに限定されない。ＣＡＤデータ７０は、コンポーネント１２および／または資産１４の２次元および３次元モデルを含む。画像７２は、写真、光計測学、Ｘ線、またはコンポーネント１２のグラフィック情報を提供できる他の画像を含む。部品表７４は、コンポーネント１２に関連付けられた非グラフィック情報を提供する。
【００２９】
ホストシステム２０は、１つまたは複数のプロセッサ７６およびメモリ７８を含む。メモリ７８は、アプリケーション、モジュール、および／またはデータを含む。より具体的には、メモリ７８は、ユーザインターフェースデバイス１６および／またはレガシーシステム２２から資産１４についての情報を収集することによって車両保守データの入力を容易にすることができる、車両保守アプリケーション８０を含む。車両保守アプリケーション８０は、データ収集装置８２、調査モジュール８４、データアナライザ８６、および構成ビルダ８８などの任意の数のモジュールを含む。あるいは、メモリ７８は、資産１４の初期設計についてのアプリケーション、モジュール、および／またはデータを含み得る。データ収集装置８２は、レガシーシステム２２からのデータの取得を容易にするように構成されており、データ収集装置８２はデータをフォーマットすることも、あるいはデータをさらに解析できるようにデータを修正することもできる。たとえば、画像データを属性の特定のフォーマットに変換でき、これにより属性の迅速な比較または属性内の特徴の識別を可能にすることができる。
【００３０】
調査モジュール８４は、調査構成６８の生成を容易にするために、調査データ６４および／または調査ライブラリ６６にアクセスして、ユーザインターフェースデバイス１６と対話するように構成されている。データアナライザ８６は、コンポーネント１２の識別を容易にするために、調査構成６８を様々なソース（たとえば、調査ライブラリ６６および／またはレガシーシステム２２）からの既存のデータと比較するように構成されている。たとえば、データアナライザ８６は、調査構成６８から取得したコンポーネント１２の２次元属性の一意の特徴を決定するように構成されている。データアナライザ８６は、対応する部品のリストの記録を容易にするために、特徴を調査ライブラリ６６に格納された属性と比較する。対応する部品のリストはどの部品が調査構成６８に含まれるかを決定するためにさらに解析される。構成ビルダ８８は、データアナライザ８６の出力に基づいて、資産１４の構成レコード１８を作成するように構成されている。一実施形態では、構成ビルダ８８は、修正された部品表７４（または、場合によっては完全な部品表）の生成を容易にするように構成されている。あるいは、構成ビルダ８８は、たとえば資産１４のレイアウトモデル、分解図モデル、ＣＡＤモデル、または基本的３次元モデルなどの、資産１４の３次元モデル（図示せず）を生成できる。
【００３１】
図３は、データアナライザ８６の概略図を示している。データアナライザ８６は、調査モジュール８４（図１に示される）の指示に従ってユーザインターフェースデバイス１６（図１に示される）によって取得されうる調査構成６８を受信するように構成されている。調査モジュール８４は、調査構成６８の特定の態様に関する調査データを生成および／または記録するように調査機能に指示するように構成されている。この調査データには設計および／または保守用の資産１４の２次元画像が含まれ得る（たとえば、特定の視点からのコンポーネント１２の写真）。
【００３２】
データアナライザ８６は、調査ライブラリ６６および既存の車両データ９０などの既存のデータソース９２からデータを受信するように構成されている。車両データ９０は、レガシーシステム２２（図１に示される）によって格納および管理された既存の定義データを含む。データアナライザ８６は、調査構成６８から受信したデータと調査ライブラリ６６とを比較して、資産コンポーネント１２を識別するように構成されている。データアナライザ８６は、ＣＡＤデータ７０、画像７２、および／または部品表７４を含む既存のデータソース９２からコンポーネント１２についてのさらなる情報を取得するために、調査構成属性の特徴と調査ライブラリ６６内の調査属性とを比較して、コンポーネント１２を識別するように構成されている。
【００３３】
本例示的な実施形態では、データアナライザ８６は、既存の車両データ９０を参照して、調査構成６８から取得した空間／位置情報を取得および操作するように構成されている。データアナライザ８６は、コンポーネント１２の情報を取得して、その情報を空間／位置情報と結合することによって、３次元モデルの構築（たとえば、構成ビルダ８８を介する）を容易にするように構成されている。データアナライザ８６は、部品表７４を更新できるようにデータ操作をし、かつ、調査構成６８と既存のデータソース９２とを比較することによって、設計および／または保守用の資産１４の３次元モデルの少なくとも一部を生成するように構成されている。
【００３４】
図４は、構成レコード１８を記録して、資産コンポーネント１２を比較するための、例示的処理４００の流れ図を示している。図５は、構成レコード１８の第１のインスタンス５０を記録するための例示的処理５００の流れ図を示している。図６は、構成レコード１８の第２のインスタンス５２を記録するための例示的処理６００の流れ図を示している。処理４００、５００、および６００は、論理的なフローグラフにおけるブロックの集合として示されており、ハードウェア、ソフトウェア、またはそれらの組合せで実装され得る処理順序を表している。ソフトウェアの場合、ブロックはコンピュータで実行可能な命令を表しており、これらの命令が１つまたは複数のプロセッサによって実行されると、当該１つまたは複数のプロセッサに列挙された処理を実行させる。通常、コンピュータ実行可能な命令は、ルーチン、プログラム、オブジェクト、コンポーネント、および特定の機能を実行したり、または特定の抽象データ型を実装したりするデータ構造を含む。処理が記述される順序は限定的なものとみなされるべきでなく、かつ、任意の数の記述ブロックを任意の順序で組み合わせたり、および／または並行処理したりして当該処理を実装してよい。処理４００、５００、および６００に加えて、本明細書に記述される他の処理もそのように解釈されるものとする。処理４００、５００、および６００は、少なくとも部分的にユーザインターフェースデバイス１６（図１に示される）によって実行され得る。
【００３５】
図４は、構成レコード１８の第１の属性４０および第２の属性４６を取得および／または比較するように構成された処理４００を示している。決定ブロック４１０で、新しい構成４１２を生成するという決定が行われると、処理４００は決定ブロック４１３に進む。決定ブロック４１３で、構成４１２のインスタンス、たとえば第１のインスタンス５０または第２のインスタンス５２が存在するかどうかに関する決定が行われる。存在しない場合、本明細書に記載されるように、処理４００は処理５００（図５に示される）に進む。インスタンス構成が既に存在する場合、本明細書に記載されるように、処理４００は処理６００（図６に示される）に進む。
【００３６】
決定ブロック４１０で、新しい構成４１２を生成しないという決定が行われると、コンポーネント１２について既存の構成レコード１８を取得するかどうかの決定が行われる。取得しない場合、ブロック４１４で、ユーザインターフェースが、コンポーネント１２について既存の属性３８を取得するかどうかを問い合わせる。取得しない場合、処理４００はブロック４１６で終了する。ユーザが、コンポーネント１２について既存の属性３８を取得すると決定すると、ユーザインターフェースデバイス１６はブロック４１８で属性３８を取得する。決定ブロック４２０で、属性３８を編集するかどうかの決定が行われる。ユーザが属性３８を編集すると決定すると、本明細書に記載されるように、処理４００は処理５００（図５に示される）に進む。
【００３７】
属性３８を編集しないという決定の場合、処理４００は比較構成処理４２２に進む。決定ブロック４２４で、コンポーネント１２と他のコンポーネント１２ｎとを比較するかどうか決定が行われる。比較しない場合、処理４００はブロック４２６で終了する。ブロック４２８で、ユーザがコンポーネント１２を比較すると決定すると、ブロック４３０で、ユーザインターフェースデバイス１６が比較画面４２９を開く。より具体的には、ユーザインターフェースは、ブロック４３２で第１のコンポーネント１２に関連付けられた第１の属性４０を開き、ブロック４３４で第２のコンポーネント１２２に関連付けられた第２の属性４６を開く。ユーザインターフェースデバイス１６は、ブロック４３６で、第１の属性４０と第２の属性４６とを比較するように構成されている。ユーザインターフェースデバイス１６は、第１のインスタンス５０と第２のインスタンス５２との差異を編成、解析、記録、表示、および／またはデータベース内に格納するように構成されている。比較処理４３６が完了すると、処理４００はブロック４３８で終了する。
【００３８】
図５は、資産構成レコード１８の第１のインスタンス５０を記録するための処理５００を示している。本例示的な実施形態では、処理５００は、属性３８のインポート、態様４２の追加、およびリンクホットスポット２８のユーザインターフェースデバイス１６への挿入を容易にする。ブロック５１０で、第１の属性４０がユーザインターフェースデバイス１６に結合される。より具体的には、ブロック５１２で、第１の属性４０がインポートされユーザインターフェースデバイス１６に結合される。ブロック５１４で、態様４２が第１の属性４０に結合される。さらに、決定ブロック５１６で、リンクホットスポット２８１．．．ｎを追加する決定が行われる。リンクホットスポット２８が追加されない場合、処理５００はブロック５１８で終了する。ユーザが、リンクホットスポット２８を追加すると決定すると、ブロック５２０で、リンクホットスポット２８ｎが作成される。より具体的には、ブロック５２２で、リンクホットスポット２８が第１の属性４０に結合される。
【００３９】
ブロック５２４で、リンクホットスポット２８が構成レコード１８に結合された分岐５２６として指定される。本例示的な実施形態では、後続のリンクホットスポット２８ｎが、構成レコード１８に対する水平分岐５２６として第１の属性４０に結合される。あるいは、リンクホットスポット２８が、構成への垂直分岐（図示せず）として第１の属性４０に結合され得る。リンクホットスポット２８のために、ブロック５２８で、第２の属性４６がユーザインターフェースデバイス１６に結合される。ブロック５３０で第２の属性４６がインポートされ、ブロック５３２で態様４３が第２の属性４６に結合される。
【００４０】
決定ブロック５３４で、追加のリンクホットスポット２８１．．．ｎを構成レコード１８に結合するかどうか決定が行われる。結合しない場合、処理５００は、決定ブロック５１６に進み、サイクルの繰り返しを促進するよう構成される。ユーザが、リンクホットスポット２８を追加すると決定すると、ブロック５３６でリンクホットスポット２８ｎが生成される。より具体的には、ブロック５３８で、リンクホットスポット２８ｎが属性に結合される。本例示的な実施形態では、ブロック５４０で、リンクホットスポット２８ｎが構成レコード１８の垂直分岐５４２として属性に結合される。あるいは、リンクホットスポット２８は、水平分岐構成（図示せず）として結合され得る。
【００４１】
リンクホットスポット２８ｎのために、ブロック５４６で、他の属性５４４がユーザインターフェースデバイス１６に結合される。ブロック５４８で属性５４４がインポートされ、ブロック５５２で態様５５０が属性５４４に結合される。リンクホットスポット２８の生成および個々の属性５５４と態様５５０の追加が、ユーザインターフェースデバイス１６によって繰り返され、ブロック５５４でレベル１．．．ｎの構成レコード１８の垂直および水平分岐４８の生成が促進される。
【００４２】
図６は、既存の構成レコード１８の第２のインスタンス５２を記録するための処理６００を示している。決定ブロック６１０で、構成レコード１８の第１のインスタンス５０をコピーするかどうかに関して決定が行われる。既存の第１のインスタンス５０をコピーしないという決定が行われると、処理６００は処理５００（図５に示される）に進むように構成される。代替の形態ではブロック６１２で、既存の構成レコード１８が複製される。
【００４３】
ブロック６１４で、構成から属性３８が選択される。決定ブロック６１６で、属性３８を置換するかどうか決定が行われる。置換しない場合、処理６００は、ブロック６１８でリンクホットスポット２８を属性３８に結合するように構成される。あるいは、属性３８を置換するという決定の場合、処理６００は、ブロック６２２で新しい属性６２０を結合するように構成される。より具体的には、ブロック６２４で、属性６２０がインポートされてユーザインターフェースに結合され、ブロック６２６で、態様４２が属性に結合される。
【００４４】
態様４２を属性６２０に結合した後、処理６００は、ブロック６１８でリンクホットスポットの位置を確保するように構成される。決定ブロック６２８で、構成内の他の属性６３０を選択するかどうか決定が行われる。他の属性６３０が選択されると、処理６００は、ブロック６１４に進むことで、属性選択のループを繰り返すよう構成される。ブロック６２８で他の属性６３０を選択しないという決定が行われると、決定ブロック６３２で、構成の他のインスタンス６３４を生成する決定が行われる。構成の他のインスタンス６３４を生成しない場合、処理６００はブロック６３６で終了する。あるいは、ユーザが構成の他のインスタンスを生成すると決定すると、処理６００は処理５００（図５に示される）を繰り返すように構成される。
【００４５】
処理４００、５００、および６００を容易にするために、データアナライザ８６（図１および３に示される）は、取得したデータ（調査構成６８等）と、収集されたデータ（調査ライブラリ６６等）に含まれる認識された特徴とを比較することによって、資産１４のコンポーネント１２の特性評価の作成を容易にするように構成されている。
【００４６】
データアナライザ８６は、コンポーネント１２のデータベース３４を構築するように構成されている。コンポーネント１２のデータベース３４は、コンポーネント１２を有する資産１４の設計および／または保守に役立つように、調査ライブラリ６６の一部、レガシーシステム２２からのデータ、および乗物コンポーネント１２に関連する他のデータを含み得る。データベース３４は、資産１４の調査構成６８に応じてコンポーネントデータへのアクセスを可能にするように構成されている。特徴学習処理（図示せず）を使用して、データアナライザ８６は認識アルゴリズムを２次元画像に適用して、個々のコンポーネント１２に特有のパラメータを有するデータベース３４を構築するように構成されている。
【００４７】
データアナライザ８６は、調査構成６８とデータベース３４とを比較して、コンポーネント１２を識別するように構成されている。たとえば、コンポーネント１２の調査構成６８は、コンポーネント１２の複数の写真を含みうる。属性認識（たとえば、顔認識、指紋等に使用されるアルゴリズムに類似のアルゴリズム）を含む既存技術を使用し、調査構成画像（写真等）が、コンポーネント１２のデータベース３４内の属性３８（調査ライブラリ６６から）と一致され得る。コンポーネント１２のデータベース３４内の２次元画像との一致が成功すると、比較結果は最終的なデータ取得をもたらし、一致が成功しないと、包括的な取得をもたらす。たとえば、コンポーネント１２の属性内に示されるコンポーネント１２の識別子によって、車輪が識別される（特性認識を介して抽出される）。
【００４８】
本例示的な実施形態では、調査構成６８と調査ライブラリ６６とを一致させる際、数値解析が実行され、一致スコア（図示せず）をもたらすことができる。次に、一致スコアとしきい値とを比較し、一致スコアがしきい値スコアに到達するか、しきい値スコアを超えると、一致スコアは一致が成立したことを示す。一致が成立しない場合、または不十分な一致スコアが取得される場合、追加のデータが要求され得る。追加のデータは、人的対話、さらなる調査等によって取得されうる。追加のデータが必要な場合、追加のデータの取得完了時に、コンポーネント１２のデータベース３４を強化するために追加のデータが使用されうる。データアナライザ８６は既知データを更新して、将来の使用のためにシステムを強化する。
【００４９】
一致が成功して、追加のデータが所望されないまたは必要でない場合、データアナライザ８６は位置データの決定を継続する。位置データによって、コンポーネント１２の属性を３次元モデルにアセンブルすることが可能になる。いくつかの実施形態では、位置データは、ＣＡＤデータ７０などの他のデータソースからの位置情報を含みうる。位置データは、画像デバイス（たとえば、デジタルカメラ、Ｘ線等）の位置がわかっている場合、２次元画像から取得することもできる。たとえば、コンポーネントに対して既知の位置（固定カメラ位置、可動アームに取り付けられた可動カメラの既知の位置、トラック等）にカメラが位置する場合、３次元モデルのアセンブルを可能にするために、コンポーネント１２の位置は、収集されたデータから取得されうる。
【００５０】
データアナライザ８６は、構成レコード１８を作成するため、調査構成６８から１つまたは複数のコンポーネント１２を識別するように構成されている。構成レコード１８は、コンポーネント識別子（たとえば、コンポーネント番号、コンポーネント名）、コンポーネント位置データ、および／またはコンポーネント、アセンブリ、または乗物に関連付けられた他のデータを含む。最終的に、構成ビルダ８８を介して構成情報を使用し、修正された部品表７４を生成してもよく、位置データを含む場合、構成情報を使用し、資産１４の３次元モデルを生成してもよい。
【００５１】
図７は、ユーザインターフェースデバイス１６を介して資産コンポーネント１２の構成レコード１８を生成する例示的方法７００を示している。設計、保守、修復、および／または交換（これらに限定せず）などの作業中に、ユーザインターフェースデバイス１６を使用し、資産コンポーネント１２に関連付けられた属性の生成、取得、編成、記録、表示、および／または比較を容易にすることができる。本例示的な方法では、第１のコンポーネント１２に関連付けられた第１の属性４０が取得される（７１０）。方法は、ユーザインターフェースデバイス１６を介して、第１のコンポーネント１２に関連付けられた第１の態様４２を入力すること（７１２）を含む。本例示的方法では、第１の態様４２は、第１のコンポーネント１２に関連付けられたコンテキストデータ４４とともに第１の属性４０に結合される（７１４）。
【００５２】
第１の属性４０に結合されたリンクホットスポット２８が選択されて（７１６）、第２のコンポーネント１２に関連付けられた第２の属性４６が取得される（７１８）。方法は、ユーザインターフェースデバイス１６を介して、第２のコンポーネント１２２に関連付けられた第２の態様４３を入力すること（７２０）を含む。本例示的な実施形態では、第２の態様４３が、第２のコンポーネント１２２に関連付けられたコンテキストデータ４４とともに第２の属性４６に結合される（７２２）。第１の属性４０および第２の属性４６、並びにそれぞれの第１の態様４２および第２の態様４３が、ユーザインターフェースデバイス１６のデータベース３４に格納される（７２４）。
【００５３】
例示的方法では、複数のリンクホットスポット２８が、第２の属性４６および／または後続の属性４６ｎに結合される。方法７００は、ユーザインターフェースデバイス１６を介して第２の属性４６および／または後続の属性４６ｎに結合された、複数のリンクホットスポット２８のうちの少なくとも１つの追加のリンクホットスポット２８を選択すること（７２６）を含む。ユーザインターフェースデバイス１６は、リンクホットスポット２８の選択を繰り返し、資産コンポーネント１２に関連付けられた後続の属性を取得するように構成されている。
【００５４】
第１の属性４０および第２の属性４６が格納された後、方法７００は、ユーザインターフェースデバイス１６を介して第１の属性４０と第２の属性４６とを比較すること（７２８）を含む。方法は、第１の属性４０と第２の属性４６との比較に基づいて差異レコード５５を生成する（７２９）。方法は、差異レコード５５をデータベース３４に格納すること（７３０）をさらに含む。
【００５５】
本例示的な実施形態では、方法７００は、資産１４の第１のインスタンスを生成および／または記録すること（７３４）を容易にするために、格納された第１の属性４０および第２の属性４６並びに関連付けられた第１の態様４２および第２の態様４３を編成する（７３２）プロセッサを含む。方法７００は、資産１４の第２のインスタンス５２を生成および／または記録することを容易にするために、第１のインスタンス５０を開始点５４として利用すること（７３６）を含む。ユーザインターフェースデバイス１６を介して、第１のインスタンス５０と第２のインスタンス５２との比較に基づいて差異態様を入力すること（７４０）を容易にするために、第１のインスタンス５０と第２のインスタンス５２とが比較される（７３８）。
【００５６】
図８は、保守するために資産コンポーネント１２を評価する例示的方法８００を示している。システム１０が資産構成レコード１８（図７に示される）を生成した後、方法８００は、第１の属性４０と第２の属性４６との比較に基づいて資産１４のニーズを評価すること（８１０）を含む。一実施形態では、方法８００は、資産１４に保守を実行すること（８１１）を含む。方法８００は、第１の属性４０と第２の属性４６とをデータベース３４に格納すること（８１２）をさらに含む。保守後、属性４０および４６がデータベース３４に記録される。方法８００は、資産１４に実行された保守に基づいて部品表７４を更新すること（８１６）を含む。方法８００は、他のコンポーネント１２についての保守ニーズの評価を継続するために、リンクホットスポット２８の選択を繰り返す（８１８）。
【００５７】
本開示の実施形態は、図９に示される説明のための乗物生産および点検処理９００、ならびに図１０に示される説明のための乗物１０００の関連で説明されうる。生産開始前に、例示的処理９００は、乗物１０００の仕様および設計９０２、ならびに資材調達９０４を含みうる。生産中においては、乗物１０００のコンポーネント１２および部分組立品の製造９０６、ならびにシステム統合９０８が行われる。その後、乗物１０００は、稼働に供する（９１２）ために、認証および納品９１０を経る場合がある。顧客による稼働中において、乗物１０００は定期的な保守および点検９１４（改良、再構成、改修等も含みうる）をスケジューリングされる。様々な実施形態によれば、乗物保守および点検９１４に先立って、稼働中（９１２）に解析システム（図示せず）が採用されうる。いくつかの実施形態では、乗物１０００は、再帰的処理を作成するために、稼働動作９１２と保守および点検動作９１４とをつなぐルート９１６を介してスケジュールされた、またはスケジュールされていない間隔で、保守を受ける場合がある。乗物１０００は、他の再帰的処理を作成するために、稼働動作９１２と仕様および設計動作９０２とをつなぐルート９１８を介してアップグレードを受ける場合もある。アップグレードは、既存の乗物に新しいシステムまたはコンポーネントを設置することを含みうる。
【００５８】
方法９００のそれぞれの処理は、システムインテグレータ、サードパーティ、および／またはオペレータ（たとえば、顧客）によって実行または実施されうる。この説明のために、システムインテグレータは、任意の数の乗物メーカー、および主要システムの下請け業者を無制限に含むことができ、サードパーティは、任意の数のベンダー、下請け業者、および納入業者を無制限に含むことができ、オペレータは航空会社、リース会社、軍隊、サービス組織などでもよい。
【００５９】
本明細書で実施される様々な技法（たとえば、処理４００、５００、および６００）は、生産および点検方法９００における任意の１つまたは複数の段階で使用されうる。たとえば、車両保守アプリケーションの１つまたは複数の実施形態は、乗物１０００の稼働中（９１２）および／または保守および点検（９１４）中に利用されうる。
【００６０】
図１０に示されるように、乗物１０００は、複数のシステム１００４および内装１００６を備えた構造（フレーム）１００２を含む。システム１００４の例には、１つまたは複数の推進システム１００８、電気システム１０１０、油圧システム１０１２、および環境システム１０１４がある。任意の数の他のシステムが含まれうる。本発明の原理は、航空宇宙産業、自動車産業などの多くの産業に適用されうる。
【００６１】
図１１は、本明細書に開示された技法を使用して実行される車両保守を受ける航空機１１００の側面図である。本明細書に記載されるように、データアナライザ８６、調査機能２６、およびレガシーシステム２２（図１に示される）を使用すると、部品の識別が容易になり、修正された部品表７４の作成および２次元画像と位置情報を使用した３次元モデルの作成ができる。
【００６２】
この実施形態では、航空機１１００は、翼アセンブリ１１０４、尾翼アセンブリ１１０６、および着陸アセンブリ１１０８を含む機体１１０２を含む。航空機１１００は、１つまたは複数の推進装置１１１０、制御システム１１１２、および航空機１１００の適切な操作を可能にする他のシステムおよびサブシステムのホストをさらに含む。本明細書を読むと、航空機に含まれる多くの部品は、本明細書に記載の技法を使用する２次元画像を使用して識別され得ることがわかる。通常、航空機１１００の様々なコンポーネント１２およびサブシステムは既知の構成でよく、簡潔にするために、本明細書では詳細に説明しない。
【００６３】
図１１に示される航空機１１００は一般に商用旅客機を表しているが、本明細書に記載の実施形態は、他の旅客機、戦闘機、貨物機、回転翼機、および他の任意のタイプの有人または無人航空機、ならびに本明細書に記載の他のタイプの乗物の設計、保守、製造、および組立に適用されうる。
【００６４】
構成システムのシステムおよび方法の例示的実施形態を詳細に説明してきた。前記システムおよび方法は、本明細書に記載の特定の実施形態に限定されず、むしろシステムのコンポーネントおよび／または方法のステップは、本明細書に記載の他のコンポーネントおよび／またはステップから独立的に、かつ、別々に利用されうる。また各コンポーネントおよび各方法ステップは、他のコンポーネントおよび／または方法ステップと組み合わせて使用されうる。各種実施形態の特定の特徴がいくつかの図面では示され、他の図面では示されないことがあるが、これは便宜上そのようになっているに過ぎない。ある図面の任意の特徴が他の任意の図面の任意の特徴と組み合わせて参照および／または特許請求されうる。
【００６５】
本明細書は、最良の形態を含め、本発明を開示するために例を使用する。また任意のデバイスまたはシステムの作成および使用、並びに任意の具現化された方法の実行を含め、当業者が本発明を実施できるようにするために例を使用する。本発明の特許性のある範囲は特許請求の範囲によって画され、当業者が想到する他の例を含みうる。このような他の例は特許請求の範囲の文言と異ならない構造要素を含む場合、または特許請求の範囲の文言とわずかに異なる均等の構造要素を含む場合、特許請求の範囲内であるものとする。
【符号の説明】
【００６６】
１０  例示的構成システム
１２  コンポーネント
１２１．．．ｎ  コンポーネント
１４  資産
１６  ユーザインターフェースデバイス
１８  構成レコード
２０  ホストシステム
２２  レガシーシステム
２４  中央処理装置
２６  調査機能
２８  リンクホットスポット
２８１．．．ｎ  リンクホットスポット
３０  画面
３２  キーボードなどの入力デバイス
３４  データベース
３６  データ取得デバイス
３８  属性
３８１．．．ｎ  属性
４０  第１の属性
４２  第１の態様
４３  第２の態様
４４  コンテキストデータ
４６  第２の属性
４６１．．．ｎ  追加の属性
４８  情報分岐
５０  第１のインスタンス
５２  第２のインスタンス
５４  開始点
５５  差異レコード
５６  第２のリンクホットスポット
５８  第３の属性
６０  第３のリンクホットスポット
６２  第４の属性
４００  例示的処理
４１０  決定ブロック
４１２  新しい構成
４１３  決定ブロック
４２０  決定ブロック
４２２  比較構成処理
４２４  決定ブロック
４２９  比較画面
５００  例示的処理
５１６  決定ブロック
５２６  分岐
５３４  決定ブロック
５４２  垂直分岐
５４４  属性
５５０  態様
６００  例示的処理
６１０  決定ブロック
６１６  決定ブロック
６２０  新しい属性
６２８  決定ブロック
６３０  属性
６３２  決定ブロック
６３４  インスタンス
７００  例示的方法
８００  例示的方法
９００  例示的処理
９００  生産および点検方法
９１６  ルート
９１８  ルート
１１００  例示的航空機
１１０２  機体
１１０４  翼アセンブリ
１１０６  尾翼アセンブリ
１１０８  着陸アセンブリ
１１１０  推進装置
１１１２  制御システム
【図１】
2013235585.tif 000003
【図２】
2013235585.tif 000004
【図３】
2013235585.tif 000005
【図４】
2013235585.tif 000006
【図５】
2013235585.tif 000007
【図６】
2013235585.tif 000008
【図７Ａ】
2013235585.tif 000009
【図７Ｂ】
2013235585.tif 000010
【図８】
2013235585.tif 000011
【図９】
2013235585.tif 000012
【図１０】
2013235585.tif 000013
【図１１】
2013235585.tif 000014
【外国語明細書】
2013235585000001.pdf
2013235585000002.pdf
2013235585000003.pdf
2013235585000004.pdf